【手続補正書】
【提出日】平成30年9月19日(2018.9.19)
【手続補正１】
【補正対象書類名】特許請求の範囲
【補正対象項目名】全文
【補正方法】変更
【補正の内容】
【特許請求の範囲】
【請求項１】
ユーザプロファイルに従って少なくとも１つの放送コンテンツプロバイダおよび少なくとも１つの特殊コンテンツプロバイダから複数の時間帯中に利用可能なメディアアセットの推奨を提供することと、
表示のために第１の軸および第２の軸を有するグリッドを生成することであって、前記第１の軸が、前記推奨されるメディアアセットを識別するためのものであり、および前記第２の軸が、前記推奨されるメディアアセットが利用可能なそれぞれの時間を識別する、生成することと、
前記第１の軸に沿って、前記少なくとも１つの放送コンテンツプロバイダと、前記複数の時間帯からの第１の時間帯中に前記少なくとも１つの放送コンテンツプロバイダから利用可能な推奨されるメディアアセットとに関連する第１の情報を提供することと、
前記第１の軸に沿って、前記少なくとも１つの特殊コンテンツプロバイダと、前記複数の時間帯からの前記第１の時間帯中に前記少なくとも１つの特殊コンテンツプロバイダから利用可能な推奨されるメディアアセットとに関連する第２の情報を提供することと、
前記第１の軸に沿って、第２の少なくとも１つの特殊コンテンツプロバイダと、前記複数の時間帯からの第２の時間帯中に利用可能な前記第２の少なくとも１つの特殊コンテンツプロバイダからの推奨されるメディアアセットとを提供することと、を含み、
前記第２の少なくとも１つの特殊コンテンツプロバイダが、前記第２の時間帯中に利用可能な前記推奨されるメディアアセットのランキングに従った順番で表示される、方法。
【請求項２】
前記少なくとも１つの放送コンテンツプロバイダが、前記第１の時間帯中に利用可能な前記推奨されるメディアアセットのランキングに従った順番で表示される、請求項１に記載の方法。
【請求項３】
前記第１の時間帯中に表示される前記少なくとも１つの放送コンテンツプロバイダの数が事前に決定される、請求項２に記載の方法。
【請求項４】
前記第１のグリッドに沿って、第２の少なくとも１つの放送コンテンツプロバイダと、前記複数の時間帯からの第２の時間帯中に利用可能な前記第２の少なくとも１つの放送コンテンツプロバイダからの推奨されるメディアアセットとを提供することをさらに含む、請求項１に記載の方法。
【請求項５】
前記少なくとも１つの放送コンテンツプロバイダと前記第２の少なくとも１つの放送コンテンツプロバイダとが異なる、請求項４に記載の方法。
【請求項６】
前記第２の少なくとも１つの放送コンテンツプロバイダが、前記第２の時間帯中に利用可能な前記推奨されるメディアアセットのランキングに従った順番で表示される、請求項４に記載の方法。
【請求項７】
前記第２の時間帯中に表示される前記第２の少なくとも１つの放送コンテンツプロバイダの数が事前に決定され、かつ前記第１の時間帯中に表示される前記少なくとも１つの放送コンテンツプロバイダの数と異なる、請求項４に記載の方法。
【請求項８】
前記少なくとも１つの特殊コンテンツプロバイダが、前記第１の時間帯中に利用可能な前記推奨されるメディアアセットのランキングに対応するランキングに従った順番で表示される、請求項１に記載の方法。
【請求項９】
前記第１の時間帯中に表示される前記少なくとも１つの特殊コンテンツプロバイダの数が事前に決定される、請求項８に記載の方法。
【請求項１０】
前記少なくとも１つの特殊コンテンツプロバイダと前記第２の少なくとも１つの特殊コンテンツプロバイダとが異なる、請求項１に記載の方法。
【請求項１１】
前記第２の時間帯中に表示される前記第２の少なくとも１つの特殊コンテンツプロバイダの数が事前に決定され、かつ前記第１の時間帯中に表示される前記少なくとも１つの特殊コンテンツプロバイダの数と異なる、請求項１に記載の方法。
【請求項１２】
前記生成されたグリッドを表示することをさらに含む、請求項１に記載の方法。
【請求項１３】
前記推奨されるメディアアセットに対応する情報をサーバから受信することをさらに含む、請求項１に記載の方法。
【請求項１４】
プロセッサと、
前記プロセッサと結合されたメモリであって、命令を格納するメモリと
を含む装置であって、前記命令が、実行されると、
ユーザプロファイルに従って少なくとも１つの放送コンテンツプロバイダおよび少なくとも１つの特殊コンテンツプロバイダから複数の時間帯中に利用可能なメディアアセットの推奨を提供する動作と、
表示のために第１の軸および第２の軸を有するグリッドを生成する動作であって、前記第１の軸が、前記推奨されるメディアアセットを識別するためのものであり、および前記第２の軸が、前記推奨されるメディアアセットが利用可能なそれぞれの時間を識別する、動作と、
前記第１の軸に沿って、前記少なくとも１つの放送コンテンツプロバイダと、前記複数の時間帯からの第１の時間帯中に前記少なくとも１つの放送コンテンツプロバイダから利用可能な推奨されるメディアアセットとに関連する第１の情報を提供する動作と、
前記第１の軸に沿って、前記少なくとも１つの特殊コンテンツプロバイダと、前記複数の時間帯からの前記第１の時間帯中に前記少なくとも１つの特殊コンテンツプロバイダから利用可能な推奨されるメディアアセットとに関連する第２の情報を提供する動作と、
前記第１の軸に沿って、第２の少なくとも１つの特殊コンテンツプロバイダと、前記複数の時間帯からの第２の時間帯中に利用可能な前記第２の少なくとも１つの特殊コンテンツプロバイダからの推奨されるメディアアセットとを提供する動作と
を実行する、装置。
【請求項１５】
前記少なくとも１つの放送コンテンツプロバイダが、前記第１の時間帯中に利用可能な前記推奨されるメディアアセットのランキングに従った順番で表示される、請求項１４に記載の装置。
【請求項１６】
前記第１の時間帯中に表示される前記少なくとも１つの放送コンテンツプロバイダの数が事前に決定される、請求項１５に記載の装置。
【請求項１７】
前記プロセッサが、前記第１のグリッドに沿って、第２の少なくとも１つの放送コンテンツプロバイダと、前記複数の時間帯からの第２の時間帯中に利用可能な前記第２の少なくとも１つの放送コンテンツプロバイダからの推奨されるメディアアセットとを提供するようにさらにプログラムされる、請求項１４に記載の装置。
【請求項１８】
前記少なくとも１つの放送コンテンツプロバイダと前記第２の少なくとも１つの放送コンテンツプロバイダとが異なる、請求項１７に記載の装置。
【請求項１９】
前記第２の少なくとも１つの放送コンテンツプロバイダが、前記第２の時間帯中に利用可能な前記推奨されるメディアアセットのランキングに従った順番で表示される、請求項１７に記載の装置。
【請求項２０】
前記第２の時間帯中に表示される前記第２の少なくとも１つの放送コンテンツプロバイダの数が事前に決定され、かつ前記第１の時間帯中に表示される前記少なくとも１つの放送コンテンツプロバイダの数と異なる、請求項１７に記載の装置。
【請求項２１】
前記少なくとも１つの特殊コンテンツプロバイダが、前記第１の時間帯中に利用可能な前記推奨されるメディアアセットのランキングに対応するランキングに従った順番で表示される、請求項１４に記載の装置。
【請求項２２】
前記第１の時間帯中に表示される前記少なくとも１つの特殊コンテンツプロバイダの数が事前に決定される、請求項２１に記載の装置。
【請求項２３】
前記少なくとも１つの特殊コンテンツプロバイダと前記第２の少なくとも１つの特殊コンテンツプロバイダとが異なる、請求項１４に記載の装置。
【請求項２４】
前記第２の少なくとも１つの特殊コンテンツプロバイダが、前記第２の時間帯中に利用可能な前記推奨されるメディアアセットのランキングに従った順番で表示される、請求項１４に記載の装置。
【請求項２５】
前記第２の時間帯中に表示される前記第２の少なくとも１つの特殊コンテンツプロバイダの数が事前に決定され、かつ前記第１の時間帯中に表示される前記少なくとも１つの特殊コンテンツプロバイダの数と異なる、請求項１４に記載の装置。
【請求項２６】
前記プロセッサが、前記生成されたグリッドを表示するようにさらに構成された、請求項１４に記載の装置。
【請求項２７】
前記プロセッサが、前記推奨されるメディアアセットに対応する情報をサーバから受信するようにさらに構成された、請求項１６に記載の装置。
【手続補正２】
【補正対象書類名】明細書
【補正対象項目名】０１００
【補正方法】変更
【補正の内容】
【０１００】
図１４では、電子プログラムガイドグリッド（ＥＰＧ）１４００の例示的な表示が示されており、コンテンツプロバイダおよび推奨されるメディアアセットは、表示１２００および１３００に示されるものと異なる。この実施形態では、放送プロバイダおよび特殊コンテンツプロバイダの数が異なり、各プロバイダに対して以前に示される２の代わりに、各プロバイダに対して３である。加えて、この実施形態に示される特殊コンテンツプロバイダAMAZON、HULUおよびVUDUは、表示１２００および１３００に示される特殊コンテンツプロバイダと異なる。
上記実施形態の一部又は全部は、以下の付記のようにも記載されうるが、以下には限られない。
（付記１）
ユーザプロファイルに従って少なくとも１つの放送プロバイダおよび少なくとも１つの特殊コンテンツプロバイダから複数の時間帯中に利用可能なメディアアセットを推奨することと、
表示のために第１の軸および第２の軸を有するグリッドを生成することであって、前記第１の軸が、前記推奨されるメディアアセットを識別するためのものであり、および第２の軸が、前記推奨されるメディアアセットが利用可能なそれぞれの時間を識別する、生成することと、
前記第１の軸に沿って、前記少なくとも１つの放送コンテンツプロバイダと、前記複数の時間帯からの第１の時間帯中に前記少なくとも１つの放送コンテンツプロバイダから利用可能な推奨されるメディアアセットとに関連する第１の情報を提供することと、
前記第１の軸に沿って、前記少なくとも１つの特殊コンテンツプロバイダと、前記複数の時間帯からの前記第１の時間帯中に前記少なくとも１つの特殊コンテンツプロバイダから利用可能な推奨されるメディアアセットとに関連する第２の情報を提供することと
を含む、方法。
（付記２）
前記少なくとも１つの放送コンテンツプロバイダが、前記第１の時間帯中に利用可能な前記推奨されるメディアアセットのランキングに従った順番で表示される、付記１に記載の方法。
（付記３）
前記第１の時間帯中に表示される前記少なくとも１つの放送プロバイダの数が事前に決定される、付記２に記載の方法。
（付記４）
前記第１のグリッドに沿って、第２の少なくとも１つの放送プロバイダと、前記複数の時間帯からの第２の時間帯中に利用可能な前記第２の少なくとも１つの放送プロバイダからの推奨されるメディアアセットとを提供することをさらに含む、付記１に記載の方法。
（付記５）
前記少なくとも１つの放送プロバイダと前記第２の少なくとも１つの放送プロバイダとが異なる、付記４に記載の方法。
（付記６）
前記第２の少なくとも１つの放送コンテンツプロバイダが、前記第２の時間帯中に利用可能な前記推奨されるメディアアセットのランキングに従った順番で表示される、付記４に記載の方法。
（付記７）
前記第２の時間帯中に表示される前記第２の少なくとも１つの放送プロバイダの数が事前に決定され、かつ前記第１の時間帯中に表示される前記少なくとも１つの放送プロバイダの数と異なる、付記４に記載の方法。
（付記８）
前記少なくとも１つの特殊コンテンツプロバイダが、前記第１の時間帯中に利用可能な前記推奨されるメディアアセットのランキングに対応するランキングに従った順番で表示される、付記１に記載の方法。
（付記９）
前記第１の時間帯中に表示される前記少なくとも１つの特殊コンテンツプロバイダの数が事前に決定される、付記８に記載の方法。
（付記１０）
前記第１のグリッドに沿って、第２の少なくとも１つの特殊コンテンツプロバイダと、前記複数の時間帯からの第２の時間帯中に利用可能な前記第２の少なくとも１つの特殊コンテンツプロバイダからの推奨されるメディアアセットとを提供することをさらに含む、
付記１に記載の方法。
（付記１１）
前記少なくとも１つの特殊プロバイダと前記第２の少なくとも１つの特殊コンテンツプロバイダとが異なる、付記１０に記載の方法。
（付記１２）
前記第２の少なくとも１つの特殊コンテンツプロバイダが、前記第２の時間帯中に利用可能な前記推奨されるメディアアセットのランキングに従った順番で表示される、付記１０に記載の方法。
（付記１３）
前記第２の時間帯中に表示される前記第２の少なくとも１つの特殊コンテンツプロバイダの数が事前に決定され、かつ前記第１の時間帯中に表示される前記少なくとも１つの特殊プロバイダの数と異なる、付記１０に記載の方法。
（付記１４）
前記生成されたグリッドを表示することをさらに含む、付記１に記載の方法。
（付記１５）
前記推奨されるメディアアセットに対応する情報をサーバから受信することをさらに含む、付記１に記載の方法。
（付記１６）
プロセッサと、
前記プロセッサと結合されたメモリであって、命令を格納するためのメモリと
を含む装置であって、前記命令が、前記プロセッサによって実行されると、
ユーザプロファイルに従って少なくとも１つの放送プロバイダおよび少なくとも１つの特殊コンテンツプロバイダから複数の時間帯中に利用可能なメディアアセットを推奨する動作と、
表示のために第１の軸および第２の軸を有するグリッドを生成する動作であって、前記第１の軸が、前記推奨されるメディアアセットを識別するためのものであり、および第２の軸が、前記推奨されるメディアアセットが利用可能なそれぞれの時間を識別する、動作と、
前記第１の軸に沿って、前記少なくとも１つの放送コンテンツプロバイダと、前記複数の時間帯からの第１の時間帯中に前記少なくとも１つの放送コンテンツプロバイダから利用可能な推奨されるメディアアセットとに関連する第１の情報を提供する動作と、
前記第１の軸に沿って、前記少なくとも１つの特殊コンテンツプロバイダと、前記複数の時間帯からの前記第１の時間帯中に前記少なくとも１つの特殊コンテンツプロバイダから利用可能な推奨されるメディアアセットとに関連する第２の情報を提供する動作と
を実行する、装置。
（付記１７）
前記少なくとも１つの放送コンテンツプロバイダが、前記第１の時間帯中に利用可能な前記推奨されるメディアアセットのランキングに従った順番で表示される、付記１６に記載の装置。
（付記１８）
前記第１の時間帯中に表示される前記少なくとも１つの放送プロバイダの数が事前に決定される、付記１７に記載の装置。
（付記１９）
前記プロセッサが、前記第１のグリッドに沿って、第２の少なくとも１つの放送プロバイダと、前記複数の時間帯からの第２の時間帯中に利用可能な前記第２の少なくとも１つの放送プロバイダからの推奨されるメディアアセットとを提供するようにさらにプログラムされる、付記１６に記載の装置。
（付記２０）
前記少なくとも１つの放送プロバイダと前記第２の少なくとも１つの放送プロバイダとが異なる、付記１９に記載の装置。
（付記２１）
前記第２の少なくとも１つの放送コンテンツプロバイダが、前記第２の時間帯中に利用可能な前記推奨されるメディアアセットのランキングに従った順番で表示される、付記１９に記載の装置。
（付記２２）
前記第２の時間帯中に表示される前記第２の少なくとも１つの放送プロバイダの数が事前に決定され、かつ前記第１の時間帯中に表示される前記少なくとも１つの放送プロバイダの数と異なる、付記１９に記載の装置。
（付記２３）
前記少なくとも１つの特殊コンテンツプロバイダが、前記第１の時間帯中に利用可能な前記推奨されるメディアアセットのランキングに対応するランキングに従った順番で表示される、付記１６に記載の装置。
（付記２４）
前記第１の時間帯中に表示される前記少なくとも１つの特殊コンテンツプロバイダの数が事前に決定される、付記２３に記載の装置。
（付記２５）
前記プロセッサが、前記第１のグリッドに沿って、第２の少なくとも１つの特殊コンテンツプロバイダと、前記複数の時間帯からの第２の時間帯中に利用可能な前記第２の少なくとも１つの特殊コンテンツプロバイダからの推奨されるメディアアセットとを提供するようにさらにプログラムされる、付記１６に記載の装置。
（付記２６）
前記少なくとも１つの特殊プロバイダと前記第２の少なくとも１つの特殊コンテンツプロバイダとが異なる、付記２５に記載の装置。
（付記２７）
前記第２の少なくとも１つの特殊コンテンツプロバイダが、前記第２の時間帯中に利用可能な前記推奨されるメディアアセットのランキングに従った順番で表示される、付記２５に記載の装置。
（付記２８）
前記第２の時間帯中に表示される前記第２の少なくとも１つの特殊コンテンツプロバイダの数が事前に決定され、かつ前記第１の時間帯中に表示される前記少なくとも１つの特殊プロバイダの数と異なる、付記２５に記載の装置。
（付記２９）
前記プロセッサが、前記生成されたグリッドを表示するようにさらにプログラムされる、付記１６に記載の装置。
（付記３０）
前記プロセッサが、前記推奨されるメディアアセットに対応する情報をサーバから受信するようにさらにプログラムされる、付記１６に記載の方法。